(57)【特許請求の範囲】
【請求項１】
低温槽内の天井部に備えたノズル部の筒状開口を通して槽内に吊り下げて使用する観察装置または照明装置の吊下用ケーブルであって、
観察装置または照明装置本体に接続されるケーブルの接続部近傍位置に、ケーブルの外周を包囲するリング型の保護スリーブと、この保護スリーブの外周に嵌合して保護スリーブと観察装置または照明装置本体との間に配置される円錐形コーンとを設けてあり、
上記保護スリーブは、そのケーブル引上げ方向の端部が、上記円錐形コーンの円錐頂部より突出してコーンの円錐頂部に平坦部が生じないようにし、且つ上記保護スリーブの突出部分にも円錐状のテーパ部を形成して、観察装置または照明装置本体の引上げ時に保護スリーブ及び円錐形コーンが、低温槽内に突出するノズル部の突出端に引っ掛らない形状に構成していることを特徴とするケーブル保護装置。
【請求項２】
上記保護スリーブは、ケーブルの円周方向において複数個に分割形成され、分割スリーブ片を、その外側に巻き付けたワイヤによりケーブルの外周を包囲するように固定されていることを特徴とする請求項１記載のケーブル保護装置。
【請求項３】
上記保護スリーブは、ケーブルの円周方向において複数個に分割形成すると共に、各分割スリーブ片は、所要の弾性を有し、その外側に巻き付けたワイヤの巻付け力により複数個の各分割スリーブ片が、ケーブルの外形に追従してケーブルを包囲するように固定されていることを特徴とする請求項１または２記載のケーブル保護装置。
【発明の詳細な説明】
【０００１】
【発明の属する技術分野】
本発明は、ＬＮＧ等の貯蔵タンク、容器等の低温槽の内部状態を点検する際にその低温槽内に吊り下げて使用する各種装置、例えば液中観察装置、照明装置等の吊下用ケーブル保護装置に関するものである。
【０００２】
【従来の技術】
従来、上述のような低温槽の内部状態を点検する装置として、図５に示す観察装置が知られている。
図５において低温槽であるＬＮＧ地下式貯槽５０には、天井部に筒状開口を有するノズル部５１，５２があり、このノズル部５１，５２を通して貯槽５０内にケーブル２０，３１に吊り下げられた観察装置１０及び照明装置３０等が挿入されて槽内を液中観察し得るようにしている。
【０００３】
上述の観察装置１０は、ノズル部５１の筒状開口を通過させる関係で円筒形状の外形を有する筐体内に収容されており、この筐体の上端は円錐形に形成されたケーブル導出部として、その頂部から吊下用ケーブル２０が導出されている。
そしてケーブル２０を引き、あるいは引き戻すことで観察装置１０が上下動しまたノズル部５１を通して観察装置１０を槽外に引き出し得るようにしている。
【０００４】
この使用時、吊下用ケーブル２０は、観察装置を出し入れする際等にケーブル２０が横向きに屈曲することがあり、この場合にケーブル２０が観察装置１０の端部（エッジ）に接触して損傷を受ける問題があるために、観察装置１０から導出されるケーブル２０の導出部近傍周囲には、ケーブルを保護するリング状の保護スリーブ２１が設けられている。
【０００５】
【発明が解決しようとする課題】
ところで上述の保護スリーブ２１を設けている場合、ノズル部５１を通して観察装置１０を引き上げる際に、ケーブル２０の外周と保護スリーブ２１との間に若干の隙間があり、また保護スリーブ２１自体もその上端に平坦部となる厚みがあるために、図６中、矢印で拡大して示した部分図から明らかなように貯槽５０内に突出するノズル部５１の突出端５１ａに、保護スリーブ２１の上端が引っ掛かる現象が発生し、これに起因して観察装置１０の引き上げに不都合が生じるという取扱性の問題点があった。
【０００６】
本発明は、上述の問題点に対処するため提案されたものであって、観察装置等を引き上げる際に上述の引っ掛かり現象が発生しない吊下用ケーブルの保護装置を提供することを目的とするものである。
【０００７】
【課題を解決するための手段】
上記目的を達成するため、本発明は、下記の請求項１ないし請求項３に記載された発明を特徴とする。
【０００８】
まず請求項１に記載された第１発明は、低温槽内の天井部に備えたノズル部の筒状開口を通して槽内に吊り下げて使用する観察装置または照明装置の吊下用ケーブルであって、観察装置または照明装置本体に接続されるケーブルの接続部近傍位置に、ケーブルの外周を包囲するリング型の保護スリーブと、この保護スリーブの外周に嵌合して保護スリーブと観察装置または照明装置本体との間に配置される円錐形コーンとを設けてあり、上記保護スリーブは、そのケーブル引上げ方向の端部が、上記円錐形コーンの円錐頂部より突出してコーンの円錐頂部に平坦部が生じないようにし、且つ上記保護スリーブの突出部分にも円錐状のテーパ部を形成して、観察装置または照明装置本体の引上げ時に保護スリーブ及び円錐形コーンが、低温槽内に突出するノズル部の突出端に引っ掛らない形状に構成していることを特徴とする。
【０００９】
このように構成していると、ケーブルを保護するために保護スリーブと、保護スリーブに嵌合する円錐形コーンとを設けていても、円錐形コーンの頂部には平坦な段部が発生しなくなり、また円錐形コーンの円錐頂部より突出する保護スリーブの突出部分にも段部が発生しないから、ケーブルを引いて観察装置または照明装置本体を引き上げる際に、低温槽内に突出するノズル部の突出端に対して保護スリーブ及び円錐形コーンが引っ掛かる現象が発生しなくなり、取扱性が大きく改善される。
【００１０】
また請求項２に記載された第２発明は、上記第１発明を前提として、上記保護スリーブが、ケーブルの円周方向において複数個に分割形成され、分割スリーブ片を、その外側に巻き付けたワイヤによりケーブルの外周を包囲するように固定されていることを特徴とする。
【００１１】
このように保護スリーブが分割形成され、複数個の分割スリーブ片を外側からケーブルに締め付ける構造にしていると、ケーブルの口径の多少の大小に拘らず保護スリーブがケーブルの外周に密着する効果が得られる。
【００１２】
さらに請求項３に記載された第３発明は、上記第１発明及び第２発明を前提として、上記保護スリーブが、ケーブルの円周方向において複数個に分割形成されていると共に、各分割スリーブ片は、所要の弾性を有し、その外側に巻き付けたワイヤの巻付け力により分割スリーブ片が、ケーブルの外形に追従してケーブルを包囲するように固定されていることを特徴とする。
【００１３】
このような構成によると、各分割スリーブ片は、これが弾性を有していることにより、ケーブルを強く締め付けなくてもスリーブをケーブル外形に追従させることができ、またケーブル断面は真円でなくても良い等の効果が得られる。
【００１４】
【発明の実施の形態】
以下、本発明の実施例を図面を参照して説明する。
図１は、本発明が適用される吊下用ケーブル２０を介して低温槽（図５に示す貯槽５０）の槽内に吊下げて使用する観察装置を示すもので、この観察装置１０は、円筒状の筐体形状をなしており、低温槽の天井部に備えた筒状開口を有するノズル部（図５に示す符号５１）を通して槽内に挿入され、ケーブル２０により上下動されて槽内の側方及び下方を観察するものである。
【００１５】
上記観察装置１０は、低温槽内の液中でも内部が常温に保たれる真空断熱容器部１０ａと、使用時には常時、低温下に曝される曝露部１０ｂとからなる。そして上記真空断熱容器部１０ａは、断熱層とシートヒータとによる温度制御で内部が常に０〜４０℃に保温されており、その内部には、高感度のＣＣＤカメラ１１と小型高倍率の光学ズームレンズ１２とが光軸を円筒軸と一致させて配備されている。また機構部あるいはモータ等は曝露部１０ｂに配備され、これらは個別で低温仕様に製作されている。
【００１６】
真空断熱容器部１０ａにおける観察窓１３の前方には、側視ミラー１４ａを装備した側視ヘッド１４が脱着自在に設けられる。これによって低温槽内の側壁を観察する場合には、この側視ヘッド１４を装着して、側視ヘッド１４のティルト動作（垂直面内で視界を変化させる動作；矢印ａ）によって水平方向に対して上方１０度から下方３０度の範囲を観察できるようにし、また、側視ヘッド１４を３６０度以上パン回転（水平面内での視界を変化させる動作；矢印ｂ）させることによって、側壁全周を観察できるようにしている。
さらに側視ヘッド１４を取り外して低温槽内に挿入することによって、槽内底面部を直接観察できるようにしている。
【００１７】
ここで観察装置１０の上部にはケーブル導出部１０ｃが形成され、この導出部１０ｃから観察装置１０の吊下用ケーブル２０が上方へ引き出されている。
【００１８】
上記ケーブル２０は、図２に断面図が示されており、内部中心に吊下用のワイヤ２２が配置され、この吊下用ワイヤ２２の周囲に、絶縁被覆された給電用導体２３と、同じく絶縁被覆された信号用導体２４とが配置されている。
そして図示のように給電用導体２３と信号用導体２４とは、中心を軸に点対称に配置されており、また、これらの吊下用ワイヤ２２，給電用導体２３，信号用導体２４の周辺はガラス介在物２５で埋められ、さらにその外周部に絶縁テープ２６を介して鎧装２７が設けられている構成になっている。
【００１９】
上述した構造のケーブル２０では、吊下用ワイヤ２２，給電用導体２３，及び信号用導体２４を一体化構造とした複合ケーブルに形成されており、ケーブルの外周に設けた鎧装２７にも十分な強度を持たせ、吊下用ワイヤ２２及び鎧装２７の両者はいずれも単独で観察装置１０の荷重を負うのに十分な強度を有する構成になっている。
【００２０】
上記観察装置１０から引き出されるケーブル２０には、ケーブル導出部１０ｃの近傍周囲に、図３に拡大して示すようなケーブルを包囲する保護スリーブ２１と、この保護スリーブ２１の外周に嵌合される円錐形コーン２２とが装着されている。
【００２１】
上記保護スリーブ２１は、ケーブル２０の周囲を包囲するようにリング型に形成されているのであるが、図４に示しているようにケーブル２０を包む円周方向において複数個に分割形成されている。
そして各分割スリーブ片２１ａは、適度の弾性を有しており、基部に巻回したワイヤ２１ｂにより複数個の分割スリーブ片２１ａをケーブル２０に巻き付けた状態では、各分割スリーブ片２１ａが、ケーブル２０の外形に追従してケーブル２０の周囲を包囲するように固定されている。
【００２２】
上記円錐形コーン２２は、保護スリーブ２１の外周に嵌合して観察装置１０の端部に固定しているのであるが、この円錐形コーン２２は、図３に鎖線で示しているように保護スリーブ２１をケーブル２０に取付ける前に、事前に、ケーブル２０に挿通させておく。
そして、複数個の分割スリーブ片２１ａを、上述のようにワイヤ２１ｂによりケーブル２０に巻き付けて固定した後、このコーン２２を、矢印の方向に移動させることで保護スリーブ２１の外周に嵌合させ、観察装置１０の端部に固定する手段で取り付けるものである。
【００２３】
上記円錐形コーン２２に対し、上記保護スリーブ２１は、そのケーブル引上げ方向の端部が、所定長、コーン２２の円錐頂部より突出して、コーン２２の円錐頂部に平坦な段部が生じないようにしており、また保護スリーブ２１の突出部分は、円錐状のテーパ部２１ｃに形成されていて、保護スリーブ２１の突出部分にも平坦な段部が発生しない構成にしている。
【００２４】
【発明の効果】
本発明は、以上に説明したように請求項１に記載された発明の場合、観察装置または照明装置本体に接続されるケーブルの接続部近傍位置には、ケーブルの外周を包囲するリング型の保護スリーブと、この保護スリーブの外周に嵌合して保護スリーブと観察装置または照明装置本体との間に配置される円錐形コーンとを設けてあり、上記保護スリーブはそのケーブル引上げ方向の端部が、円錐形コーンの円錐頂部より突出し、且つ保護スリーブの突出部分には円錐状のテーパ部を形成していることを特徴とする。
【００２５】
このような構成では、ケーブルを保護するためにスリーブと、スリーブに嵌合する円錐形コーンとを設けていても、円錐形コーンの頂部には平坦な段部が発生しなくなり、またコーンの円錐頂部より突出するスリーブの突出部分にもノズル内への引上げ時に障礙となるような段部が発生しないから、ケーブルを引いて観察装置または照明装置を引き上げる際に、低温槽内に突出するノズル部の突出端に対して保護スリーブ及び円錐形コーンが引っ掛かる現象が発生しなくなり、取扱性が大きく改善される。
【００２６】
また請求項２に記載された発明においては、保護スリーブが、ケーブルを包む円周方向において複数個に分割形成され、複数個の分割スリーブ片を、ワイヤにより外側からケーブルに締め付ける構造にしていることから、ケーブルの口径の多少の大小に拘らずスリーブがケーブルの外周に密着する効果が得られる。
【００２７】
さらに請求項３に記載された発明においては、保護スリーブが、複数個に分割形成されると共に、各分割スリーブ片は、所要の弾性を有することで、ケーブルを強く締め付けなくてもスリーブをケーブルの外形に追従させることができ、またケーブル断面が真円でなくても良い等の効果が得られる。
【００２８】
さらに請求項２、請求項３に記載された各発明では、保護スリーブが、分割型なので、保護スリーブは、損傷時の交換が容易に行えるというメリットも併せ得られる。
【図面の簡単な説明】
【図１】本発明を適用する吊下用ケーブルにより低温槽内に吊り下げられて使用される観察装置の一例を示す説明図である。
【図２】吊下用ケーブルの横断面図である。
【図３】本発明の一実施形態に係るケーブル導出部付近の拡大説明図である。
【図４】本発明に係る保護スリーブの分割形態を一部示す斜視図である。
【図５】本発明が適用される低温槽内観察装置の１例を示す説明図である。
【図６】従来例の課題を説明する説明図である
【符号の説明】
１０  観察装置
１０ａ  真空断熱容器部
１０ｂ  曝露部
１０ｃ  ケーブル導出部
１１  ＣＣＤカメラ
１２  ズームレンズ
１３  先端窓
１４  側視ヘッド
１４ａ  側視ミラー
２０  ケーブル
２１  保護スリーブ
２１ａ  分割スリーブ片
２１ｂ  ワイヤ
２１ｃ  テーパ部
２２  円錐形コーン
３１  ケーブル（照明用）
５０  ＬＮＧ地下式貯槽
５１，５２  ノズル部
【図１】
0004318844.tif 000002
【図２】
0004318844.tif 000003
【図３】
0004318844.tif 000004
【図４】
0004318844.tif 000005
【図５】
0004318844.tif 000006
【図６】
0004318844.tif 000007